(57)【要約】      （修正有）【課題】間仕切りの機能と日除け雨除けの機能を同一の建具をもって行い、あわせて建具の気密性を利用し、少量の出水に備えた蔀戸の提供。【解決手段】建具は、建屋に取り付けるフレーム１，２，３と扉５、６よりなる。フレームには方立として額縁リブ４をもうける。間仕切りの形式は二枚以上の扉をもちいたもので、扉をつないで一枚として使用する蔀戸であり、つなぎめで自由に折り曲げ動かせる蔀戸およびつなぎめで分離できる半蔀の三つの形式があり、間仕切りが閉まっているときは、扉５、６と額縁リブ４は平面で接触している。回転できる偏心軸をもった横猿７をもちいて、最下端の扉６と額縁リブ４の二つを密着させ、かさの低い出水に対処する。幅広の扉をつかうときは中間に三日月錠を使用してもよい。【選択図】図１
2020133386.tif 000002
【特許請求の範囲】
【請求項１】
建屋に蔀戸の扉を取り付けるための建具。開口部の周辺に取り付けるフレームで、扉ようの方立の機能をもつ額縁リブが付いている。
【請求項２】
扉のつなぎ方は建具金物をもちいて変化させる。一枚になった扉をもつ蔀戸、折れ曲がる扉をもつ蔀戸、さらに二枚以上に分離させた半蔀の形式とすることができる扉。扉の継手部は、差し込み桟および一組以上のラッチ機能をもった回転継手をもちい、使用の時々の目的におうじて相互に固定・回転および分離ができる二枚以上からなる一組の扉。
【請求項３】
［請求項２］の扉をもちいた三つの形式をもつ蔀戸
【請求項４】
横猿の偏心軸を回転させて、額縁リブを軸と扉のあいだの隙間に挟み、縦方向の任意の位置に扉を留めることができる。
【請求項５】
蔀戸の扉の最下端が水平フレームの額縁リブと重なったとき、回転できる偏心軸を持った横猿で扉を額縁リブに押し付け気密性をもたせ、リブを水密隔壁とする。
【発明の詳細な説明】
【技術分野】
【０００１】  本発明は、一般家屋および物置等で、屋内・外を仕切る建具として使用されている、扉、引き戸、シャッター等に関連するものである。
【背景技術】
【０００２】  家屋の建設の簡易化、合理化のため、庇、軒などの日除け、雨除けそして日脚の長さの調整という開口部の補助機能が、削除されているものが多くなっている。そのため、建具の外側に、別途日除け、雨除け等を目的として、テント、すだれ等をべつに設け、家屋の失った機能の一部を肩代りさせているのが現状である。【０００３】  建屋の間仕切りとしては、古くは寝殿作りに採用されていた蔀戸（参考文献参照）があるがこれは、現在の一般な家屋の建具としては、あまり発達していない。間仕切りの建具としては、シャッター、引き戸が発達し、その欠点である、晴天・雨天時の使いにくさは、小さな不便としてしか認識されてこなかったのが原因とおもわれる。
建具を使う形式として、蔀戸は建物の開口部を一枚の建具で覆うものと、開いたとき一枚のながさの半分くらいの位置で建具が折れ下がるものとの二種にわけられ、さらに折り曲げた移置の近傍で上下二つに分け、下の部分を開口部の下部に固定するものとの３種類の形式に分けることがでる。最後のものは、とくに半蔀とよばれ窓用に使われていた。（いか、建具の三つの使用形式をあらわすときは、代表して蔀戸とよぶ。また、建具をあらわすときは扉という）これらは軒・庇の機能を持っているが重く、開閉には手間と時間がかかり、扱いにくかったようである。このため、寺社、武家家屋が発達し、広い開口部が、手早く必要になってくると、簡便に開閉のできる引き込み戸が仕切りとして使われるようになったようである。【０００４】  大戦後、一般の木造家屋には長い間引き込み戸が、雨戸として使われてきた。また強固な仕切り機能をもったシャッターは製造・販売の初期のころは、金属製で重く扱いにくく、高価であった。そのため、倉庫、商店の表の間仕切りとして使われることが多く、雨戸して使われることはそれほどなかったようである。【０００５】  近来の建屋、特に一般の木造家屋では、家屋の主要部材は、現場経費の削減のため、工場でそのほとんどが加工され、現場に搬入組み立てられている。そのために一部の家屋においては手間のかかる現場合わせや、小物の加工技術が必要な軒や庇を作るのを省略、あるいは小型化することが多くみられるようである。本来、軒や庇は、建築場所の風土に合わせてつくられるものであり、人が建物に出入りするとき、建屋の外でついた汚れを落たり、着崩れを直たり、雨天時には雨具の脱着や、開閉をする用をたす土間の延長の機能をも持つものである。また、内側にある部屋または廊下の使用目的によって寸法が決められるものである。現在はそのような、考慮はほとんどなされておらず、耐火性おも含めて、強固に、建屋の内外を仕切るだけが目的となっている。また、水かさの低い出水にたいしては、考慮されていない。べつの止水機構としては考えられているが、同じ建具を使用して建屋の内側を防水しようする考えは、きわめてすくないようである。
【先行技術文献】
【０００６】
【非特許文献】
【非特許文献】本願寺御影堂平成大修理推進事務所だより（７９）『宗報』２００６（平成１８）７月号（本願寺出版社発行）掲載
【発明の概要】
【発明が解決しようとする課題】
【０００７】  本来、日本家屋の軒、庇がもっていた生活に由来する戸口、窓等の開口部の機能を回復させ、併せて嵩のすくない出水にたいし、建屋内部を止水防御しようとするものである。開口部の間仕切りとしては、寝殿造りや寺社仏閣に使われていた、蔀戸の形式を用い、その使い勝手の改良と建屋に対しての設置のしやすさを、またより一層の機能の改善改良を目指そうとするものである。
【課題を解決するための手段】
【０００８】  本発明は建屋にとりつけ、蔀戸を支える建具（以下フレームという）と蔀戸の扉から構成され、その機能は相互に関連している。蔀戸は、二つ折りの形式を基本として説明するが、必要に応じて、折り込み数を増やすことができる。
フレームは長押に相当する上部水平部材、柱となる左右の垂直部材および下部水平部材からなる。そしてかく部材はその全長にわたって方立（以下額縁リブと言う）が付けられている
二つ折りの蔀戸は回転ヒンジでつながっており、このヒンジの回転軸は簡単に抜き差し出来るラッチ構造になっており、扉の接続部は必要に応じて分離できる。半蔀として使用するときは、下の扉は動かさない。接続部には、また上下に渡って差し込み桟をもうけ、折り込みを不可とし，必要におうじて一枚扉の蔀戸を構成して使用する。
フレームの開口部の幅・高さと蔀戸のそれとは異なり扉のほうが大きくなっており、両者は額縁リブで重なり合っている。
蔀戸は上部水平部材に回転ヒンジあるいは回転ピンで吊り下げられる。また、二つ折りの蔀戸の下部の扉の下端には、回転軸を偏心させたカムシャフトのある新しく開発した横猿をとりつける。横猿は方立の機能を持つ縦フレームの額縁リブを挟むようにとりつける。また、必要に応じて最下段の扉には、縦方向に横猿をとりつけることもできる。さらに、扉の幅が広いときは下段の水平フレームの額縁リブと、扉の下部に三日月錠（クレセント錠）をつけ両者のゆるみを防ぐこともできる。
【発明の効果】
【０００９】  蔀戸の接続・分離および折り曲げ部の差し込み桟による不動化により、本発明においては、一枚ものまたは、二つ折りの蔀戸、および半蔀と形式を変化させ、扉を気候・天候および使用目的によって使い分けることができる。
晴天時、屋外にあっては日陰の提供であり、屋内にあっては、採光量および、日脚の調節である。シャッターあるいは引き戸に代表される建具においては窓、あるいは出入り口の面積を変化させて、おこなっていたものである。また、雨天時においては、ぬれずに済む場所、延長された通路の確保、その下において雨水を室内に持ち込まぬための、コートとうの脱着、雨具を所定の位置におくためのさまざまな所作、洗濯物を干す等の生活上の小さな作業場所の提供である。
額縁リブを扉と図１の８横猿の偏心軸のあいだにくるように配置し、軸を回転させて扉と額縁リブを密着させる。扉の下端を額縁リブの任意の位置に固定することができる。また、扉が額縁リブの最下端にあるときは、内外に気密性をつくり防水機能をもたせることができる。
閉められた状態では、外部からの力に対し、大きな耐力を持つように設計できる。
広い開口部がえられる。
引き戸あるいはシャッターでは必要とされる、格納場所をなくすことができる。
【図面の簡単な説明】
【００１０】
【図１】は、本発明の実施形態のうちの一つである二つ折りの蔀戸の開閉中の状態をしめす射影図である。
【図２】は、偏心軸をもつ、改良した横猿をしめす射影図である。
【発明を実施するための形態】
【００１１】  以下、本発明の実施の形態を図面に基づき、順をおって説明する。まず、構造と動きについて述べる。  図１は二つ折りの形式時における開閉中の蔀戸を示す。扉５は上辺で１セット以上の回転ヒンジによりＡ−Ａ断面の額縁リブに止められている。二枚目の扉６との接続は１セット以上のヒンジを用いて回転できる。また、接続部にはヒンジが回転しないように差込桟を設けていて、一枚の蔀戸にするすることもできる。図１のときは、桟を引っ込めてヒンジが自由に回転できる。ヒンジの軸は、軸方向に移動するラッチ構造になっている。扉５・６を分離できるので、半蔀として使うときは、別々に動かすることができるようになっている。扉６は５に接続しているとき旧来の形式では、折れ曲がり下に垂れているが、本発明では異なりその下端部は垂直フレームの額縁リブと横猿により挟まれ任意の位置に止められ、さらに開口部の最下端に移行したときは、額縁リブと扉を圧迫密着し、気密性を持たせ、防水することができる。扉の幅が広いときは中間に三日月錠を使用してもよい。
破線で表している円弧線は、想像線で示している扉５・６の代表てきな可動方向を示している。扉の接続・分離とその組み合わせにより、ここに表す以上のさまざまな可働円弧破線が考えられる。
【産業上の利用可能性】
【００１２】居住性の向上。      ：日除け雨除け、室内への日射量の制御。水嵩の低い出水の防御。
商店店頭の構築。    ：商品の保護、客の品定め、買いやすさ。通行のしやすさ。
店内商品の水嵩の低い出水に対する保護。
幅広の開口部の確保  ：扉を跳ね上げるので、人、物の移動の自由度が高い。
高い耐外圧性        ：蔀戸の閉鎖時には、外部からの力に対して強い耐力を持たせるこ                      とが出来る。強風、土砂降り、雪崩れや土石流、さらにはデモ時                      の投石にも壁と同じような耐力をもたせる設計が可能。
物置、ロッカー      ：屋外に設置される物置、ロッカーでは雨水時の荷物の出し入れが                      楽になる。
コンテナー          ：扉の閉鎖装置を開口部の内側周辺に取り付けることができるので                      コンテナーの長さが短くなる。防水および防害虫効果。
【符号の説明】
【００１３】１    上部水平フレーム
２    垂直フレーム
３    下部水平フレーム
４    額縁リブ
５    建具  扉
６    建具  扉
７    建具金物  横猿
８    建具金物  偏心軸をもつ横猿
９    軸
１０  偏心軸
１１  ハンドル
１２  軸受
【図１】
2020133386.tif 000003
【図２】
2020133386.tif 000004